(57)【要約】【課題】段板や蹴込板が製造誤差や施工誤差によって傾いて設置されている場合でも、これらの誤差を吸収して巾木部材を容易に取り付けることのできる階段の巾木構造を提供する。【解決手段】上面巾木部１６と垂直巾木部１７とが一体形成されたＬ字形巾木１８と、縦巾木１９とを組合せた巾木部材１５を用いて構成され、Ｌ字形巾木１８の垂直巾木部１７は、Ｌ字形の内側辺に沿った端面に飲込みテーパー面２０を有しており、縦巾木１９は、蹴込板１２とは反対側の辺に沿った表面側に略矩形形状の切欠き２１を設けることで、裏面側に重合せ段差片２２を有している。Ｌ字形巾木１８は、Ｌ字形の角部内側を段板１１の段鼻部１１ａの先端面に当接させつつ垂直巾木部１７を垂下させて取り付けられ、縦巾木１９は、重合せ段差片２２をＬ字形巾木１８の垂直巾木部１７の飲込みテーパー面２０の裏側に飲み込ませた状態で取り付けられるようになっている。【選択図】図１
2010281077.tif 000002
【特許請求の範囲】
【請求項１】
複数の段板と複数の蹴込板とからなる階段の側壁面に、当該段板及び蹴込板との接合部に沿って取り付けられる階段の巾木構造であって、
前記段板の上面に沿って配置される上面巾木部と、該上面巾木部の一端部から垂直に延設する垂直巾木部とが一体として形成されたＬ字形巾木と、前記蹴込板の表面に沿って配置される縦巾木とを組合せた複数の巾木部材を用いて構成され、
前記Ｌ字形巾木の前記垂直巾木部は、Ｌ字形の内側辺に沿った端面の裏面側部分が飲込み切欠部として切り欠かれた断面形状を有しており、
前記縦巾木は、前記蹴込板とは反対側の辺に沿った表面側に略矩形形状の切欠きを設けることで、裏面側に重合せ段差片が形成された断面形状を有しており、
前記Ｌ字形巾木は、前記上面巾木部を前記段板の上面に沿わせると共に、Ｌ字形の角部内側を前記段板の先端面に当接させつつ前記垂直巾木部を垂下させた状態で、階段の前記側壁面に各々取り付けられるようになっており、前記縦巾木は、前記蹴込板側の辺を前記蹴込板の表面に沿わせると共に、前記重合せ段差片を前記Ｌ字形巾木の前記垂直巾木部の前記飲込み切欠部の裏側に飲み込ませた状態で、階段の前記側壁面に各々取り付けられるようになっている階段の巾木構造。
【請求項２】
前記飲込み切欠部は、前記Ｌ字形の内側辺に沿った端面を表面側から裏面側に向けて斜めに切り欠いて飲込みテーパー面を形成することで設けられている請求項１記載の階段の巾木構造。
【請求項３】
前記縦巾木の前記蹴込板側の辺に沿った端面が、表面側から裏面側に向けて斜めに切り欠かれた接合部テーパー面となっている請求項１又は２記載の階段の巾木構造。
【請求項４】
前記Ｌ字形巾木の前記上面巾木部が、前記垂直巾木部と同様の断面形状を有している請求項１〜３のいずれかに記載の階段の巾木構造。
【請求項５】
前記Ｌ字形巾木の前記垂直巾木部及び前記上面巾木部の表面には、これらの長手方向に沿って凹溝が連続して設けられている請求項１〜４のいずれかに記載の階段の巾木構造。
【請求項６】
請求項１〜５のいずれかに記載の階段の巾木構造に用いる巾木部材であって、
前記段板の上面に沿って配置される上面巾木部と、該上面巾木部の一端部から垂直に延設する垂直巾木部とが一体として形成されたＬ字形巾木と、前記蹴込板の表面に沿って配置される縦巾木とを組合せて構成され、
前記Ｌ字形巾木の前記垂直巾木部は、Ｌ字形の内側辺に沿った端面の裏面側部分が飲込み切欠部として切り欠かれた断面形状を有しており、
前記縦巾木は、前記蹴込板とは反対側の辺に沿った表面側に略矩形形状の切欠きを設けることで、裏面側に重合せ段差片が形成された断面形状を有している巾木部材。
【発明の詳細な説明】
【技術分野】
【０００１】
本発明は、階段の巾木構造及び巾木部材に関し、特に、複数の段板と複数の蹴込板とからなる階段の側壁面に、当該段板及び蹴込板との接合部に沿って取り付けられる階段の巾木構造及び巾木部材に関する。
【背景技術】
【０００２】
例えば木造住宅建築物等の建物に一般的に設けられる階段として、複数の段板と複数の蹴込板とを用いて形成された階段が知られている。段板と蹴込板とからなる階段は、例えば階段の両側の側壁面にささら桁を取り付けると共に、段板（踏板）受金具を取り付けて、各段の段板を水平に支持させ、且つ上段の段板の下面先端部分と下段の段板の上面後端部分との間の各間隔部分を覆うようにして、垂直に立設する蹴込板を各々取り付けることで形成されるようになっている。また、このようにして階段が組み立てられることによって、各段板は、これの先端部分が、段鼻部として下方の蹴込板よりも前方に張り出した状態で設けられるようになっている。
【０００３】
一方、上述のような段板と蹴込板とからなる階段の側壁面においても、側壁面と段板や蹴込板との接合部の納まりを良好に仕上げると共に、段板や蹴込板との接合部分における側壁面を防護するために、巾木が取り付けられるようになっている。またこのような階段用の巾木は、段鼻部を挟んで段板と蹴込板とに跨る連続した形状に精度良く形成することが困難であるため、階段用の巾木を、各段において複数の構成材料を用いて形成する技術も開発されている（例えば、特許文献１参照）。
【先行技術文献】
【特許文献】
【０００４】
【特許文献１】特開２００８−２９１５３８号公報
【発明の概要】
【発明が解決しようとする課題】
【０００５】
特許文献１の階段用巾木では、各段に取り付けられる巾木を、段板に沿って配置される横幅木と、蹴込板に沿って配置される縦巾木後部品、及び縦巾木前部品との３部品で構成し、縦巾木前部品の後部が縦巾木後部品の前部に重ね合わせて接合配置された状態において、縦巾木前部品を縦巾木後部品に対し前後方向にスライド自在に構成することによって、段板の段鼻部の突出寸法に応じて、縦巾木の巾寸法を調整できるようなっている。
【０００６】
しかしながら、特許文献１の階段用巾木では、３部品で構成されているため、これらの３部品を段板や蹴込板の形状に沿わせて各々取り付ける作業に手間がかかると共に、特に段板や蹴込板が製造誤差や施工誤差によって水平方向や垂直方向から傾いて設置されている場合に、これらの誤差を吸収して横幅木と縦巾木との間に隙間が生じないように接合するためには、相当の熟練を要することになる。
【０００７】
本発明は、段板や蹴込板が製造誤差や施工誤差によって水平方向や垂直方向から傾いて設置されている場合でも、これらの誤差を吸収して巾木部材を段板や蹴込板に沿って容易に取り付けることのできる階段の巾木構造及び巾木部材を提供することを目的とする。
【課題を解決するための手段】
【０００８】
本発明は、複数の段板と複数の蹴込板とからなる階段の側壁面に、当該段板及び蹴込板との接合部に沿って取り付けられる階段の巾木構造であって、前記段板の上面に沿って配置される上面巾木部と、該上面巾木部の一端部から垂直に延設する垂直巾木部とが一体として形成されたＬ字形巾木と、前記蹴込板の表面に沿って配置される縦巾木とを組合せた複数の巾木部材を用いて構成され、
前記Ｌ字形巾木の前記垂直巾木部は、Ｌ字形の内側辺に沿った端面の裏面側部分が飲込み切欠部として切り欠かれた断面形状を有しており、前記縦巾木は、前記蹴込板とは反対側の辺に沿った表面側に略矩形形状の切欠きを設けることで、裏面側に重合せ段差片が形成された断面形状を有しており、前記Ｌ字形巾木は、前記上面巾木部を前記段板の上面に沿わせると共に、Ｌ字形の角部内側を前記段板の先端面に当接させつつ前記垂直巾木部を垂下させた状態で、階段の前記側壁面に各々取り付けられるようになっており、前記縦巾木は、前記蹴込板側の辺を前記蹴込板の表面に沿わせると共に、前記重合せ段差片を前記Ｌ字形巾木の前記垂直巾木部の前記飲込み切欠部の裏側に飲み込ませた状態で、階段の前記側壁面に各々取り付けられるようになっている階段の巾木構造を提供することにより、上記目的を達成したものである。
【０００９】
そして、本発明の階段の巾木構造は、前記飲込み切欠部が、前記Ｌ字形の内側辺に沿った端面を表面側から裏面側に向けて斜めに切り欠いて飲込みテーパー面を形成することで設けられていることが好ましい。
【００１０】
また、本発明の階段の巾木構造は、前記縦巾木の前記蹴込板側の辺に沿った端面が、表面側から裏面側に向けて斜めに切り欠かれた接合部テーパー面となっていることが好ましい。
【００１１】
さらに、本発明の階段の巾木構造は、前記Ｌ字形巾木の前記上面巾木部が、前記垂直巾木部と同様の断面形状を有していることが好ましい。
【００１２】
さらにまた、本発明の階段の巾木構造は、前記Ｌ字形巾木の前記垂直巾木部及び前記上面巾木部の表面には、これらの長手方向に沿って凹溝が連続して設けられていることが好ましい。
【００１３】
また、本発明は、上記階段の巾木構造に用いる巾木部材であって、前記段板の上面に沿って配置される上面巾木部と、該上面巾木部の一端部から垂直に延設する垂直巾木部とが一体として形成されたＬ字形巾木と、前記蹴込板の表面に沿って配置される縦巾木とを組合せて構成され、前記Ｌ字形巾木の前記垂直巾木部は、Ｌ字形の内側辺に沿った端面の裏面側部分が飲込み切欠部として切り欠かれた断面形状を有しており、前記縦巾木は、前記蹴込板とは反対側の辺に沿った表面側に略矩形形状の切欠きを設けることで、裏面側に重合せ段差片が形成された断面形状を有している巾木部材を提供することにより、上記目的を達成したものである。
【発明の効果】
【００１４】
本発明の階段の巾木構造又は巾木部材によれば、段板や蹴込板が製造誤差や施工誤差によって水平方向や垂直方向から傾いて設置されている場合でも、これらの誤差を吸収して巾木部材を段板や蹴込板に沿って容易に取り付けることができる。
【図面の簡単な説明】
【００１５】
【図１】本発明の好ましい一実施形態に係る階段の巾木構造の構成を説明する側面図、及びＡ−Ａに沿った拡大断面図である。
【図２】本発明の好ましい一実施形態に係る階段の巾木構造の構成を説明する部分斜視図である。
【図３】（ａ）はＬ字形巾木の断面形状を説明する断面図、（ｂ）は縦巾木の断面形状を説明する断面図である。
【図４】（ａ）は図２のＢ−Ｂに沿った断面図、（ｂ）は図２のＣ−Ｃに沿った断面図である。
【図５】（ａ）は段板や蹴込板が傾いて取り付けられた際の巾木部材の取付状態を説明する側面図、（ｂ）は（ａ）のＤ−Ｄに沿った断面図である。
【図６】（ａ）は段板や蹴込板が傾いて取り付けられた際の巾木部材の取付状態を説明する側面図、（ｂ）は（ａ）のＥ−Ｅに沿った断面図である。
【図７】回り階段の外側の側壁面に巾木構造を設ける状態を説明する斜視図である。
【図８】回り階段の内側の側壁面に巾木構造を設ける状態を説明する、（ａ）は上面図、（ｂ）は（ａ）のＦ−Ｆに沿った断面図、（ｃ）は（ａ）のＧ−Ｇに沿った断面図である。
【図９】飲込み切欠部の他の形態を例示する、（ａ）は図２のＢ−Ｂに沿った断面図、（ｂ）は図２のＣ−Ｃに沿った断面図である。
【発明を実施するための形態】
【００１６】
本発明の好ましい一実施形態に係る階段の巾木構造１０は、図１及び図２に示すように、複数の段板１１と複数の蹴込板１２とを用いて形成された階段１３において、階段１３の側壁面１４と段板１１や蹴込板１２との接合部の納まりを良好に仕上げると共に、段板１１や蹴込板１２との接合部分における側壁面１４を防護するための構造として設けられたものである。ここで、複数の段板１１と複数の蹴込板１２とからなる階段１３は、例えば両側の側壁面１４にささら桁（図示せず）を取り付けると共に、段板受金具（図示せず）を取り付けて、各段の段板１１を水平に支持させ、且つ上段の段板１１の下面先端部分と下段の段板１１の上面後端部分との間の各間隔部分を覆うようにして、垂直に立設する蹴込板１２を各々取り付けることで形成されている。本実施形態の巾木構造１０は、段板１１や蹴込板１２が製造誤差や施工誤差等によって水平方向や垂直方向から傾いて設置されている場合でも、これらの誤差を吸収した状態で、巾木部材１５を段板１１や蹴込板１２に沿って容易に取り付けることができるようにする構造を備えている。
【００１７】
そして、本実施形態の階段の巾木構造１０は、複数の段板１１と複数の蹴込板１２とからなる階段１３の側壁面１４に、当該段板１１及び蹴込板１２との接合部に沿って取り付けられる巾木構造であって、段板１１の上面に沿って配置される上面巾木部１６と、上面巾木部１６の一端部から垂直に延設する垂直巾木部１７とが一体として形成されたＬ字形巾木１８と、蹴込板１２の表面に沿って配置される縦巾木１９とを組合せた複数の巾木部材１５を用いて構成され、Ｌ字形巾木１８の垂直巾木部１７は、Ｌ字形の内側辺に沿った端面の裏面側部分が飲込み切欠部２０として切り欠かれた断面形状を有しており、縦巾木１９は、蹴込板１２とは反対側の辺に沿った表面側に略矩形形状の切欠き２１を設けることで、裏面側に重合せ段差片２２が形成された断面形状を有しており、Ｌ字形巾木１８は、上面巾木部１６を段板１１の上面に沿わせると共に、Ｌ字形の角部内側を段板１１の段鼻部１１ａの先端面に当接させつつ垂直巾木部１７を垂下させた状態で、階段１３の側壁面１４に各々取り付けられるようになっており、縦巾木１９は、蹴込板１２側の辺を蹴込板１２の表面に沿わせると共に、重合せ段差片２２をＬ字形巾木１８の垂直巾木部１７の飲込み切欠部２０の裏側に飲み込ませた状態で、階段１３の側壁面１４に各々取り付けられるようになっている。
【００１８】
また、本実施形態では、飲込み切欠部２０は、Ｌ字形巾木１８の垂直巾木部１７のＬ字形の内側辺に沿った端面を表面側から裏面側に向けて斜めに切り欠いて飲込みテーパー面を形成することで設けられている。
【００１９】
さらに、本実施形態では、Ｌ字形巾木１８の上面巾木部１６は、垂直巾木部１７と同様の断面形状を有するように形成されている。
【００２０】
なお、本実施形態では、段板１１は、厚さが例えば３０ｍｍ程度の板部材からなり、蹴込板１２から前方に張り出す段鼻部１１ａの蹴込板１２からの鼻出寸法が、例えば１８ｍｍ程度となるように取り付けられている。また、蹴込板１２は、厚さが例えば１２ｍｍ程度の板部材からなり、上段の段板１１の下面先端部分に形成された取付溝１１ｂと下段の段板１１の後端面とに上下の端縁部が支持された状態で取り付けられて、上下の段板１１の間の間隔部分を閉塞するようになっている。
【００２１】
そして、本実施形態では、巾木構造１０に用いる巾木部材１５は、上面巾木部１６と垂直巾木部１７とが一体として形成されたＬ字形巾木１８と、縦巾木１９との２部材によって構成されている。
【００２２】
Ｌ字形巾木１８は、図３（ａ）に示すような断面形状を有する、例えば全体の厚さｔ1が６〜１５ｍｍ程度（本実施形態では９ｍｍ）、全体の巾ｂ1が１５〜７５ｍｍ程度（本実施形態では２６ｍｍ）の木製の帯板状部材である上面巾木部１６と、同じく図３（ａ）に示すような断面形状を有する木製の帯板状部材である垂直巾木部１７とからなる。すなわち、本実施形態では、上面巾木部１６及び垂直巾木部１７は、Ｌ字形巾木１８の内側辺に沿った端面が、表面側から裏面側（図１参照）に向けて、例えば３０〜６０°（本実施形態では４５°）の角度θ1で斜めに切り欠かれた飲込みテーパー面（飲込み切欠部）２０となっている共に、表面の略中央部分に矩形断面形状の凹溝２３が形成された、扁平な略直角台形の断面形状を有している。
【００２３】
また、上面巾木部１６及び垂直巾木部１７は、予め工場等において、強固に且つ精度良く垂直に接合一体化されてＬ字形巾木１８として製品化されたものであり、Ｌ字形巾木１８の内側辺に沿った飲込みテーパー面２０と表面の略中央部分に沿った凹溝２３とが、Ｌ字形巾木１８の角部を介在させた長手方向に沿って連続した状態で設けられることになる。さらに、本実施形態では、上面巾木部１６及び垂直巾木部１７には、これらの表面を覆うようにして、飲込みテーパー面２０の中間部分から飲込みテーパー面２０とは反対側の側端面及び裏面まで至る領域に亘って、化粧用シート２４が取り付けられている。
【００２４】
さらにまた、本実施形態では、上面巾木部１６は、Ｌ字形巾木１８の角部内側からの長さが、段板１１の巾に合わせた例えば２４５ｍｍ程度の、現場におけるカットが不要なジャストカットされた長さとなるように形成されると共に、垂直巾木部１７は、その下端部を現場において適宜カットしてその長さや下端面の勾配を調整できるように、上下の段板１１間の例えば１５０〜２３０ｍｍ程度（本実施形態では２００ｍｍ）の段差よりも、僅かに大きな長さとなるように形成されている。
【００２５】
縦巾木１９は、図３（ｂ）に示すような断面形状を有する、例えば全体の厚さｔ2が６〜１５ｍｍ程度（本実施形態では９ｍｍ）、全体の巾ｂ2が１８〜３０ｍｍ程度（本実施形態では２１ｍｍ）の木製の帯板状部材である。すなわち、縦巾木１９は、蹴込板１２とは反対側に配置される辺に沿った表面側（図１参照）に略矩形形状の切欠き２１を設けることで、裏面側に重合せ段差片２２が形成されると共に、蹴込板１２側に配置される辺に沿った端面が、表面側から裏面側に向けて、例えば３０〜６０°（本実施形態では４５°）の角度θ2で斜めに切り欠かれた接合部テーパー面２５となった、扁平な略直角台形の断面形状を有している。
【００２６】
また、本実施形態では、縦巾木１９には、これの表面を覆うようにして、接合部テーパー面２５の中間部分から接合部テーパー面２５とは反対側の側端面まで至る領域に亘って、化粧用シート２４が取り付けられている。
【００２７】
さらに、本実施形態では、縦巾木１９は、現場において適宜カットしてその長さや下端面の勾配を調整できるように、上下の段板１１間の例えば１５０〜２３０ｍｍ程度（本実施形態では２００ｍｍ）の段差から段板１１の厚さ及び下段の上面巾木部１６の巾ｂ1を差し引いた長さよりも、僅かに大きな長さとなるように形成されている。
【００２８】
上述の構成を有するＬ字形巾木１８と縦巾木１９とからなる巾木部材１５を用いて巾木構造１０を形成するには、図１及び図２に示すように、階段１３の各段において、例えば下段の段板１１の上面に沿って側壁面１４に取り付けられたＬ字形巾木１８の上面巾木部１６の上側の側端面に下端面を載置しつつ、縦巾木１９を、接合部テーパー面２５が形成された蹴込板１２側の辺を当該蹴込板１２の表面に隙間無く押し付けた状態で（図４（ａ）参照）、公知の止付け部材である例えばフィニッシャーを用いて側壁面１４に固定する。
【００２９】
しかる後に、Ｌ字形巾木１８を、Ｌ字形の角部内側を段板１１の段鼻部１１ａの先端面に当接させつつ、上面巾木部１６の内側辺を段板１１の上面に隙間無く押し付けると共に、垂直巾木部１７を上面巾木部１６に対して垂直下方に垂下させ、これによって、垂直巾木部１７の内側辺に沿って斜めに切り欠かれた飲込みテーパー面２０を、縦巾木１９の重合せ段差片２２に表側から重ね合わせた状態、すなわち重合せ段差片２２の一部をＬ字形巾木１８の垂直巾木部１７の飲込みテーパー面２０の裏側に飲み込ませた状態で（図４（ａ）参照）、公知の止め部材である例えばフィニッシャーを用いて側壁面１４に固定する。
【００３０】
なお、本実施形態では、階段１３の最下段に取り付けられた巾木部材１５は、Ｌ字形巾木１８及び縦巾木１９の下端面が、床面２６と側壁面１４との接合部に沿って取り付けられた室内巾木２７の上側の側端面に載置接合されて、当該室内巾木２７と連続することになる。
【００３１】
また、階段１３の最上段に取り付けられた巾木部材１５の上側の側端面には、上階床面２８と側壁面１４との接合部に取り付けられた上階巾木２９と当該巾木部材１５との間に介在する、上段框用巾木部材１５’のＬ字形巾木１８’及び縦巾木１９’の下端面が載置接合されることになる。これによって、巾木部材１５が、框用巾木部材１５’を介して上階巾木２９と連続することになる。
【００３２】
ここで、上段框用巾木部材１５’は、巾木部材１５と同様に、Ｌ字形巾木１８及び縦巾木１９と略同様の断面形状を有するＬ字形巾木１８’及び縦巾木１９’からなり（図４（ｂ）参照）、巾木部材１５と同様に、最上段の段板１１の上面に取り付けられたＬ字形巾木１８の上面巾木部１６に下端面を載置しつつ、縦巾木１９’を、蹴込板１２の表面に隙間無く押し付けた状態で固定した後に、Ｌ字形巾木１８’を、Ｌ字形の角部内側を上段框３０の段鼻部３０ａの先端面に当接させつつ（図１、図２参照）、上面巾木部１６’の内側辺を上段框３０の上面に隙間無く押し付けると共に、垂直巾木部１７’を上面巾木部１６’に対して垂直下方に垂下させ、縦巾木１９’の重合せ段差片２２’の一部をＬ字形巾木１８’の垂直巾木部１７’の飲込みテーパー面２０’の裏側に飲み込ませた状態（図４（ｂ）参照）で固定することによって、上段框用巾木部材１５’が取り付けられることになる。
【００３３】
そして、上述の構成を備える本実施形態の巾木構造１０及び巾木部材１５によれば、段板１１や蹴込板１２が製造誤差や施工誤差によって水平方向や垂直方向から傾いて設置されている場合でも、これらの誤差を吸収して巾木部材１５を段板１１や蹴込板１２に沿って容易に取り付けることができる。
【００３４】
すなわち、本実施形態によれば、巾木部材１５は、上面巾木部１６と垂直巾木部１７とが一体として形成されたＬ字形巾木１８と、縦巾木１９とを組合せて構成され、縦巾木１９を蹴込板１２の表面に隙間無く押し付けた状態で固定した後に、Ｌ字形巾木１８を、Ｌ字形の角部内側を段板１１の段鼻部１１ａの先端面に当接させつつ、上面巾木部１６の内側辺を段板１１の上面に隙間無く押し付けると共に、垂直巾木部１７を上面巾木部１６に対して垂直下方に垂下させ、縦巾木１９の重合せ段差片２２の一部を垂直巾木部１７の飲込み切欠部としての飲込みテーパー面２０の裏側に飲み込ませた状態で固定するだけの簡易な作業によって、巾木部材１５による巾木構造１０を階段１３の各段に容易に取り付けることができる。
【００３５】
また、本実施形態では、縦巾木１９の重合せ段差片２２の一部を垂直巾木部１７の飲込み切欠部としての飲込みテーパー面２０の裏側に飲み込ませた状態で、Ｌ字形巾木１８と縦巾木１９とが側壁面１４に固定されるので、段板１１や蹴込板１２が水平方向や垂直方向から傾いて設置されている場合でも、これらの誤差を重合せ段差片２２と飲込みテーパー面２０との重ね合わせ部分で効果的に吸収して、隙間を生じさせないか、隙間が生じてもこれを目立たなくした状態で、巾木部材１５を、段板１１や蹴込板１２に沿って優れた品質の納まりで容易に設置することが可能になる。
【００３６】
例えば図５（ａ），（ｂ）に示すように、段板１１や蹴込板１２が傾いていて、段板１１と蹴込板１２とが９０°よりも僅かに大きい角度θ3で接合されている場合でも、縦巾木１９の下部において、Ｌ字形巾木１８の垂直巾木部１７の飲込みテーパー面２０への重合せ段差片２２の飲み込み量が大きくなるだけで、斜め前方から見る例えば居住者の視点からは、垂直巾木部１７の内側辺との間に臨む縦巾木１９の切欠き２１による縦溝の巾が、殆ど変化しないように見えることになって、優れた品質の納まりを容易に確保することが可能になる。
【００３７】
一方、例えば図６（ａ），（ｂ）に示すように、段板１１や蹴込板１２が傾いて、段板１１と蹴込板１２とが９０°よりも僅かに小さい角度θ4で接合されている場合でも、縦巾木１９の下部において、Ｌ字形巾木１８の垂直巾木部１７の飲込みテーパー面２０への重合せ段差片２２の飲み込み量が小さくなるだけで、斜め前方から見る例えば居住者の視点からは、垂直巾木部１７の内側辺との間に臨む縦巾木１９の切欠き２１による縦溝の巾が、殆ど変化しないように見えることになって、優れた品質の納まりを容易に確保することが可能になる。
【００３８】
また、本実施形態では、Ｌ字形巾木１８の垂直巾木部１７及び上面巾木部１６の表面には、これらの長手方向に沿って凹溝２３が連続して設けられているので、当該凹溝２３と同様の外観で現れる、垂直巾木部１７の内側辺との間に臨む縦巾木１９の切欠き２１による縦溝と当該凹溝２３とが相俟って、図１及び図２に示すように、巾木部材１５の装飾性を向上させることが可能になると共に、これらの凹溝２３において、フィニッシャー等の止め部材を側壁面１４に向けて打ち込むことにより、これらの止め部材を外観上目立たなくすることが可能になる。
【００３９】
さらに、本実施形態では、Ｌ字形巾木１８の上面巾木部１６が、垂直巾木部１７と同様の断面形状を有しているので、同じ断面形状の帯板状部材を用いて、Ｌ字形巾木１８を効率良く製造することが可能になる。
【００４０】
図７は、本実施形態の階段の巾木構造１０を、回り階段３１の外側の側壁面３２に設ける状態を説明するものである。本実施形態の階段の巾木構造１０は、図７に示すように、Ｌ字形巾木１８の垂直巾木部１７及び上面巾木部１６や、縦巾木１９の長さを、段板１１の形状や段の高さに合わせて、延長して形成したり、端部を適宜カットして用いると共に、必要に応じて直線形状の横幅木３３を介在させることにより、段板１１や蹴込板１２に沿わせて、回り階段３１の外側の側壁面３２に容易に設けることも可能である。
【００４１】
また、回り階段３１では、蹴込板１２が外側の側壁面３２に対して９０°を越える鈍角で側壁面３２に接合する段が存在し（図７では一番上の段）、端面が垂直な縦巾木を用いた場合には、これの蹴込板１２側の辺を蹴込板１２の表面に沿わせて取り付けた際に、縦巾木の表面と蹴込板１２の表面との間には相当の大きさの隙間が生じることになるが、本実施形態では、縦巾木１９の蹴込板１２側の辺に沿った端面が、表面側から裏面側に向けて斜めに切り欠かれた接合部テーパー面２５となっているので、この接合部テーパー面２５の裏側に、９０°を越える鈍角で接合する蹴込板１２の角部を納めることで、縦巾木１９の表面の蹴込板１２側の辺を、蹴込板１２の表面に隙間無く当接させることが可能になり、これによって、回り階段３１の外側の側壁面３２における巾木部材１５の良好な納まりを容易に確保することが可能になる。
【００４２】
図８（ａ）〜（ｃ）は、本実施形態の階段の巾木構造１０を、折返し階段３４の内側の側壁面３５に設ける状態を説明するものである。本実施形態の階段の巾木構造１０は、図８（ａ）〜（ｃ）に示すように、Ｌ字形巾木１８の上面巾木部１６の長さを段板１１の内側の段巾に合わせて短く形成することにより、段板１１や蹴込板１２に沿わせて、折返し階段３４の内側の側壁面３４に容易に設けることも可能である。
【００４３】
また、巾木部材１５は、折返し階段３４の内側の側壁面３４に取り付ける場合に、内側の側壁面３４の角部において、Ｌ字形の角部内側を段板１１の段鼻部１１ａの先端面に当接させつつＬ字形巾木１８を設置して、垂直巾木部１７を垂直下方に垂下させた際に、垂下された垂直巾木部１７が内側の側壁面３４の角部からはみ出さないように、Ｌ字形巾木１８の巾を予め調整してを巾木部材１５を製造しておくこおとが好ましい。
【００４４】
なお、本発明は上記実施形態に限定されることなく種々の変更が可能である。例えば、縦巾木の蹴込板側の辺に沿った端面が、表面側から裏面側に向けて斜めに切り欠かれた接合部テーパー面となっている必要は必ずしも無く、Ｌ字形巾木の上面巾木部が、垂直巾木部と同様の断面形状を有している必要は必ずしもない。また、Ｌ字形巾木の垂直巾木部及び上面巾木部の表面に、これらの長手方向に沿って凹溝を設ける必要は必ずしもない。さらに、Ｌ字形巾木の垂直巾木部のＬ字形の内側辺に沿った端面に設けられる飲込み切欠部は、当該端面を表面側から裏面側に向けて斜めに切り欠いて形成した飲込みテーパー面である必要は必ずしも無く、例えば図９（ａ），（ｂ）に示すように、矩形断面形状を有するように切り欠いて形成した飲込み切欠部等、その他の断面形状を備える飲込み切欠部であっても良い。
【符号の説明】
【００４５】
１０  階段の巾木構造
１１  段板
１１ａ  段鼻部
１２  蹴込板
１３  階段
１４  階段の側壁面
１５  巾木部材
１６  上面巾木部
１７  垂直巾木部
１８  Ｌ字形巾木
１９  縦巾木
２０  飲込みテーパー面（飲込み切欠部）
２１  略矩形形状の切欠き
２２  重合せ段差片
２３  凹溝
２４  化粧用シート
２５  接合部テーパー面
【図１】
2010281077.tif 000003
【図２】
2010281077.tif 000004
【図３】
2010281077.tif 000005
【図４】
2010281077.tif 000006
【図５】
2010281077.tif 000007
【図６】
2010281077.tif 000008
【図７】
2010281077.tif 000009
【図８】
2010281077.tif 000010
【図９】
2010281077.tif 000011